(57)【要約】  スライダーの引手と止具とが連結していることを視認し易くすること。  前後に延長する一対のテープ（３，３）、一対のテープの対向する側縁部に沿って固定された一対のエレメント列（４，４）、一対のテープの前端部に固定された止具（５）、を含む一対のファスナーストリンガー（２，２）と、一対のエレメント列に沿って移動させると共に前方への移動範囲が止具によって定められるスライダー本体（７）、スライダー本体の左右側面から突出する一対の支軸（８，８）、一対の支軸を中心にして回転可能な引手（９）、を含むスライダー（６）とを備え、引手は、一対の支軸に支持されると共に止具に連結及び連結解除可能なコ字状の枠体（９１）を備え、止具は、直方体状であって、その左右側面及び前面の三面を連結状態の枠体が包囲する止具本体（５１）と、止具本体の前記三面のうち少なくとも１面から突出すると共に枠体の回転を制限する弾性体の突起（５３）と、を備え、突起は、平面視した場合に前記三面のうち突出した面で形成される辺の全長の一部に形成されているスライドファスナー。
2015063927.tif 000002
【特許請求の範囲】
【請求項１】
前後に延長すると共に左右に平行に並べる一対のテープ（３，３）、前記一対のテープ（３，３）の対向する側縁部に沿って固定された一対のエレメント列（４，４）、前記一対のエレメント列（４，４）の前方において前記一対のテープ（３，３）の前端部に固定された止具（５）、を含む一対のファスナーストリンガー（２，２）と、
前記一対のエレメント列（４，４）に沿って移動させると共に前方への移動範囲が前記止具（５）によって定められるスライダー本体（７）、前記スライダー本体（７）の左右側面から突出する一対の支軸（８，８）、前記一対の支軸（８，８）を中心にして回転可能な引手（９）、を含むスライダー（６）とを備え、
前記引手（９）は、前記一対の支軸（８，８）に支持されると共に前記止具（５）に対して連結及び連結解除可能なコ字状の枠体（９１）を備え、
前記止具（５）は、直方体状であって、その左右側面及び前面の三面を連結状態の前記枠体（９１）が包囲する止具本体（５１）と、前記止具本体（５１）の前記三面のうち少なくとも１面から突出すると共に前記枠体（５）の回転を制限する弾性体の突起（５３）と、を備え、
前記突起（５３）は、弾性変形状態では前記枠体（５）の回転を許容すると共に、復元状態では連結状態の前記枠体（５）の回転を阻止し、平面視した場合に前記三面のうち突出した面で形成される辺の全長の一部に形成されていることを特徴とするスライドファスナー。
【請求項２】
前記突起（５３）は前記止具本体（５１）の左側面と右側面とに別々に備わっていることを特徴とする請求項１に記載のスライドファスナー。
【請求項３】
前記左右の突起（５３，５３）の下方における前記止具本体（５１）の幅寸法（５１ｗ）≦前記左右の突起（５３，５３）に対応する位置における前記枠体（９１）の左右の縦枠（９２，９２）の間隔（９２ｗ）＜前記左右の突起（５３，５３）の位置における前記止具（５）の最大幅寸法（５３ｗ）であることを特徴とする請求項２に記載のスライドファスナー。
【請求項４】
前記左右の突起（５３，５３）の側面は下方へ向かうにつれて左右方向外側に張り出す傾斜面（５３ｓ）としてあることを特徴とする請求項２又は３に記載のスライドファスナー。
【請求項５】
前記左右の突起（５３，５３）の上面は前方へ向かうにつれて上がる傾斜面（５３ｕ）となっていると共に、前記左右の突起（５３，５３）の上下方向の厚み（５３ｔ）は前方へ向かうにつれて厚くなっていることを特徴とする請求項２、３又は４に記載のスライドファスナー。
【請求項６】
前記左右の突起（５３，５３）は平面方向及び前面方向から視て左右対称的に形成されていることを特徴とする請求項２から５のいずれか１項に記載のスライドファスナー。
【発明の詳細な説明】
【技術分野】
【０００１】
本発明は、一対のファスナーストリンガーと、一対のファスナーストリンガーに沿って移動させるスライダーとを備え、一対のファスナーストリンガーにはスライダーの移動範囲を定める止具を備えるスライドファスナーに関する。
【背景技術】
【０００２】
従来のスライドファスナーには、スライダーの移動範囲を定める止具と、スライダーの引手とを連結する装置（以下、「連結装置」と言う。）を備え、連結装置によって一対のファスナーストリンガーを閉鎖させた状態を保持するものが存在する（特許文献１、２）。【０００３】
特許文献１に開示された連結装置は、スライダーの引手をコ字状とし、コ字状の左右の側辺部及びコ字状の中央の連結辺部には内側に突出する係合部をそれぞれ備え、止具の左右側面及び前面であって上下方向の中間部には内側に窪んだ被係合部を備えている。そして、これら係合部と被係合部とが嵌合することによって、止具と引手との連結状態を保持するようになっている。【０００４】
また特許文献２に開示された連結装置は、引手に形成された矩形状の孔と、止具の上部前面から前方に突出する突起とを備えている。そして孔の周囲を構成する矩形枠の横枠に突起を係止させることにより、引手と止具との連結状態を保持するようになっている。
【先行技術文献】
【特許文献】
【０００５】
【特許文献１】特許第５１４３２８３号公報  図１３、図１４
【特許文献２】実開昭４８−１０８８０１号公報
【発明の概要】
【発明が解決しようとする課題】
【０００６】
しかしながら何れの連結装置も、引手が止具に連結しているのか否かを視認しづらいものであった。より詳しく言えば何れの連結装置においても、止具は、引手に連結している状態では、平面視すると矩形になっている。矩形という形状は視認した際に違和感を生じさせない安定した形状である為、矩形の止具を視認した場合に、止具と引手が連結していないかのような感じを与え、本当に連結しているのか否かを凝視しないと判断できない。【０００７】
本発明は上記実情を考慮して創作されたもので、その目的は引手と止具とが連結していることを視認し易くすることである。
【課題を解決するための手段】
【０００８】
本発明のスライドファスナーは、一対のファスナーストリンガーと、スライダーとを備える。そして一対のファスナーストリンガーは、前後に延長すると共に左右に平行に並べる一対のテープ、一対のテープの対向する側縁部に沿って固定された一対のエレメント列、一対のエレメント列の前方において一対のテープの前端部に固定された止具を含む。またスライダーは、一対のエレメント列に沿って移動させると共に前方への移動範囲が止具によって定められるスライダー本体、スライダー本体の左右側面から突出する一対の支軸、一対の支軸を中心にして回転可能な引手を含む。そして引手は、一対の支軸に支持されると共に止具に連結するコ字状の枠体を備える。また止具は、直方体状であって、その左右側面及び前面の三面を連結状態の枠体が包囲する止具本体と、止具本体の前記三面のうち少なくとも１面から突出すると共に枠体の回転を制限する弾性体の突起と、を備える。突起は、弾性変形状態では枠体の回転を許容すると共に、復元状態では連結状態の前記枠体の回転を阻止し、平面視した場合に前記三面のうち突出した面で形成される辺の全長の一部に形成されている。【０００９】
突起は、例えば止具本体の左側面、右側面、前面の三面のうち一面にのみ形成されていても良い。しかし突起の形成位置によっては、突起の下方に枠体が位置する場合であっても、枠体が止具本体の前記三面のうち一面を包囲していない状態も想定される。たとえば突起が止具本体の左側面にのみ形成されている場合、コ字状をなす枠体の左側の縦枠が突起の下方に位置するが、枠体の右側の縦枠が止具本体の上方に位置する状態も想定される。しかしながらこの状態は、枠体が前記三面を包囲している状態（即ち枠体と止具とが連結している状態）では無い。但し枠体と止具とが連結していることを視認し易くするには次のようにすることが望ましい。
すなわち、突起は止具本体の左側面と右側面とに別々に備わっていることである。【００１０】
また左右の突起を備える止具と枠体との寸法関係は、左右の突起の下方における止具本体の幅寸法≦前記左右の突起に対応する位置における枠体の左右の縦枠の間隔＜左右の突起の位置における止具の最大幅寸法、である。【００１１】
また左右の突起の側面は、鉛直な面であるか否かを問わない。但し枠体と止具とが連結していることを視認し易くすると共に、止具に枠体を連結させ易くするには次のようにすることが望ましい。
左右の突起の側面は下方へ向かうにつれて左右方向外側に張り出す傾斜面としてあることである。【００１２】
また左右の突起の上面は水平面であるか否かを問わないし、左右の突起の上下方向の厚みも一定であるか否かを問わない。但し枠体と止具とが連結していることを視認し易くすると共に、止具に枠体を連結させ易くするには次のようにすることが望ましい。
すなわち左右の突起の上面は前方へ向かうにつれて上がる傾斜面となっていると共に、左右の突起の上下方向の厚みは前方へ向かうにつれて厚くなっていることである。【００１３】
さらに左右の突起は、平面方向及び前面方向から視て左右対称的であるか否かは問わない。但し止具に枠体を連結させ易くするには次のようにすることが望ましい。
すなわち左右の突起は平面方向及び前面方向から視て左右対称的に形成されていることである。
【発明の効果】
【００１４】
本発明のスライドファスナーによれば、弾性体の突起の弾性変形状態では突起の上方から下方に枠体を回転させて通過させ、枠体で止具本体の左右側面及び前面を包囲する状態で止具と引手を連結することができる。また止具の形状は、平面視すると、止具本体の左右側面と前面の三面のうち少なくとも一面から突起が突出すると共に、突起が止具本体の三面のうち突出した面で形成される辺の全長の一部に形成されている形状、すなわち明らかに突起の存在を止具本体と区別して視認できる形状であるので、突起の下方に枠体が位置していることを視認できれば、引手を止具に連結した状態であると言え、引手を止具に連結していることが視認し易いと言える。【００１５】
また突起が止具本体の左側面と右側面とに別々に備わっているスライドファスナーであれば、コ字状をなす枠体の左右の縦枠が左右の突起の下方に位置する状態が、枠体と止具との連結状態であるので、枠体と止具とが連結していることを視認し易くなる。【００１６】
さらに左右の突起の側面が下方へ向かうにつれて外側に張り出す傾斜面としてあるスライドファスナーであれば、突起の側面が上下方向において均一に外側に張り出す鉛直面のようなものに比べれば、突起の上部における左右寸法が短くなっていると言えるので、枠体の左右の縦枠で左右の突起を押し込んで変形させ易くなり、止具に枠体を連結させ易い。【００１７】
さらに左右の突起の上面を前方へ向かうにつれて上がる傾斜面とすると共に、左右の突起の上下方向の厚みを前方へ向かうにつれて厚くしてあるスライドファスナーであれば、突起の上下方向の厚みを前後均一にしてあるものに比べれば、突起の後部の上下方向の厚みが薄くなっていると言えるので、枠体の左右の縦枠で左右の突起を押し込んで変形させ易くなり、止具に枠体を連結させ易い。【００１８】
また左右の突起を平面方向及び前面方向から視て左右対称的に形成したスライドファスナーであれば、枠体の左右の縦枠で左右の突起を同じように押し込んで変形させることができるので、止具に枠体を連結させ易い。
【図面の簡単な説明】
【００１９】
【図１】本発明の第一実施形態のスライドファスナーを示す斜視図である。
【図２】本発明の第一実施形態のスライドファスナーにおける引手と止具との連結解除状態を示す平面図である。
【図３】第一実施形態のスライドファスナーにおける引手と止具との連結状態を示す平面図である。
【図４】図２のIV−IV線切断部断面図である。
【図５】図４のＶの部分を拡大して示す断面図である。
【図６】（ａ）図は引手と止具とが連結する直前の状態を示す断面図であり、（ｂ）図は図３のVI−VI線切断部断面図であって引手と止具とが連結した状態を示す。
【図７】（ａ）図は引手と止具とが連結する直前の状態を断面図であり、（ｂ）図は図３のVII−VII線切断部断面図であって引手と止具とが連結した状態を示す。
【図８】本発明の第二実施形態のスライドファスナーにおける引手と止具との連結解除状態を示す平面図である。
【図９】第二実施形態のスライドファスナーにおける引手と止具との連結状態を示す平面図である。
【図１０】本発明の第三実施形態のスライドファスナーを示す断面図である。
【図１１】本発明の第四実施形態のスライドファスナーを示す断面図である。
【発明を実施するための形態】
【００２０】
本発明の第一実施形態のスライドファスナー１は図２に示すように、前後方向に延長すると共に左右に対向する一対のファスナーストリンガー２，２と、一対のファスナーストリンガー２，２に沿って移動させるスライダー６とを構成要素として備えている。そしてスライドファスナー１は、スライダー６を前進させることによって、一対のファスナーストリンガー２，２を閉じ、スライダー６を後退させることによって一対のファスナーストリンガー２，２を開くことができる。以後、各構成要素を説明するに際して、前側とは、図２の紙面での上側のことであり、より詳しく言えば、スライダー６においてファスナーストリンガー２，２が開いて出てくる側である。また、後側とは図２の紙面での下側のことであり、より詳しく言えば、スライダー６においてファスナーストリンガー２，２が閉じて出てくる側とし、スライダー６の移動方向を前後方向とする。また、前後方向と直交し且つ一対のファスナーストリンガー２，２の横並び方向を左右方向（幅方向）、前後方向及び左右方向に直交する方向を上下方向とする。左側とは、図２の紙面での左側のことであり、右側とは図２の紙面での右側のことである。
【００２１】
一対のファスナーストリンガー２，２は、前後方向に延長すると共に左右に平行に並べる一対のテープ３，３と、左右のテープ３，３の対向する側縁部に沿って固定された一対のエレメント列４，４と、一対のエレメント列４，４の前方に隣接した位置において一対のテープ３，３の前端部に固定された止具５とを備えている。
【００２２】
テープ３は、防水性の有無を問わないが、防水性を有するもの（例えば繊維製の基布の上面を樹脂製の防水層で覆ったもの等）を用いることが望ましい。またテープ３は帯状であって、前後方向を長手方向とし左右方向を幅方向とする帯状であって、左右方向のうち一方の側縁部を上方へ向かって屈曲してある。従って左右方向に関してテープ３は、水平に延長するテープ本体部３１と、テープ本体部３１の左右の側縁のうち一方から上方へ向かって屈曲するように延長するテープ屈曲部３２とを備えている。テープ屈曲部３２にはその前後方向に沿ってエレメント列４が固定されている。より詳しく言えば、図４、図５に示すように、テープ屈曲部３２の上部には、対向するテープ屈曲部３２の方に向かって開口するように湾曲させた湾曲部３２ａが形成されている。湾曲部３２ａは、Ω字状に湾曲しており、その入口部における上下方向の間隔を奥部における上下方向の間隔よりも狭くしてあり、この湾曲部３２ａにエレメント列４が固定されている。また一対のテープ３，３は、互いのテープ屈曲部３２，３２を左右に対向する状態に配置してあり、互いのエレメント列４，４を噛合させた状態が一対のファスナーストリンガー２，２を閉じた状態であり、互いのエレメント列４，４を分離させた状態が一対のファスナーストリンガー２，２を開いた状態である。
【００２３】
エレメント列４は、テープ屈曲部３２に沿って所定間隔をあけて固定される多数のエレメント４ａから構成される。またエレメント４ａは、テープ屈曲部３２の左右側面のうち対向面（対向するテープ屈曲部３２を向く面であって湾曲部３２ａの内側）に固定される噛合部材４１と、テープ屈曲部３２の左右側面のうち対向面とは反対面（湾曲部３２ａの外側）に固定され、噛合部材４１をテープ屈曲部３２に固定する固定部材４２とから構成される。
【００２４】
噛合部材４１は、左右方向に延長するものであり、左右方向の一端から他端へ向かって、テープ屈曲部３２の湾曲部３２ａの奥部に収容される抜け止め用の膨大部４１ａと、湾曲部３２ａの入口部に収容され、膨大部４１ａよりも上下方向の寸法が短い棒状の首部４１ｂと、湾曲部３２ａから対向するテープ屈曲部３２側へ突出する頭部４１ｃとを備えている。
頭部４１ｃは、首部４１ｂよりも上下に突出するように形成されている。そして対向するエレメント４，４の頭部４１ｃ，４１ｃ同士が前後に噛合することによって一対のエレメント列４，４が噛合し、対向するエレメント４，４の頭部４１ｃ，４１ｃ同士が分離することによって一対のエレメント列４，４が分離する。
【００２５】
固定部材４２は、Ｃ字状であり、より詳しく言えば側方へ向かって開口するコ字状の枠部４２ａと、枠部４２ａの開口を狭める方向へ枠部４２ａの上下端部から突出する上下の爪部４２ｂ，４２ｂとを備えている。
このようなエレメント４ａがテープ屈曲部３２に固定されると、噛合部材４１の頭部４１ｃはテープ屈曲部３２から突出し、噛合部材４１の首部４１ｂ及び膨大部４１ａは外側から湾曲部３２ａによってΩ字状に覆われ、その湾曲部３２ａの外側は固定部材４２によって覆われる状態となる。このようにして固定部材４２の枠部４２ａは膨大部４１ａを湾曲部３２ａの外側から包囲し、上下の爪部４２ｂ，４２ｂは首部４１ｂを湾曲部３２ａの外側から挟持することにより、噛合部材４１は湾曲部３２ａから抜け外れないようになる。
【００２６】
止具５は、樹脂製の弾性体であって、一例としてはウレタンゴム製である。また本実施形態では、スライダー６の後述する引手９との連結状態を視認し易くするため、止具５は、引手９の後述する枠体９１と異なる色であって、例えば黒色としているが、止具５と枠体９１を同じ色で形成しても構わない。さらに止具５は図１〜図３に示すように、一対のエレメント列４，４の前方において左右のテープ３，３の上面に固定された止具本体５１と、止具本体５１の下端部の左右側面及び前面から周囲に張り出す状態で左右のテープ３，３に固定された張出片５２と、止具本体５１の前面と左右側面の三面のうち少なくとも一面、言い換えれば選択した面すなわち選択面から突出する突起５３とを備えている。
【００２７】
止具本体５１は、前後面、左右面、上下面の六面を備える直方体状であって、その内部には一対のテープ３，３の前端部、及び止具５を固定する前（止具５の射出整形前）における一対のエレメント列４，４の前端部に位置する左右のエレメント４ａ，４ａが埋設されている。より詳しく言えば、一対のテープ３，３の前端部のうち左右のテープ屈曲部３２の前端部は、左右に離隔した状態で対向しており、止具本体５１の後面から止具本体５１の内部に突入する状態で埋設されている。従って止具本体５１の後面は下向きに開口するＥ字状に形成されている。また左右のテープ本体部３１，３１の上面に止具本体５１の下面と張出片５２の下面が貼り付けられている。ちなみに本実施形態では、止具本体５１に埋設される一対のテープ屈曲部３２，３２の前端よりも一対のテープ本体部３１，３１の前端部が前方に突出しており、これらテープ本体部３１，３１の前端部に張出片５２が貼り付けられているものとする。
また止具本体５１の左右側面には穴５１ｈが形成されている。この穴５１ｈは、止具５を射出成型により成型する場合にピンを抜き出した痕跡である。より詳しく言えば、穴５１ｈを除いた止具５の外形を金型本体で形成するものとし、金型本体の内部に左右のテープ３，３の前端部を収容し、金型本体の左右側部から金型本体の中にピンを挿入することによって、キャビティが完成する。そしてピンによって左右のテープ３，３の前端部、より詳しく言えば、左右のテープ３，３の前端部に固定されている左右のエレメント４ａ，４ａを動かないように抑えながら、射出成型が行われる。
ちなみに、止具本体５１に埋設されている左右のエレメント４，４ａは、スライダー６の移動範囲では無いので、本発明で言う一対のエレメント列４，４の一部ではない。つまり本発明で言う一対のエレメント列４，４とは、スライドファスナー１として完成された状態で、スライダー６が移動する部分である。言い換えれば、スライドファスナー１として完成する前の状態で一対のエレメント列４，４の一部であっても、スライドファスナー１として完成された後の状態で、スライダー６が移動する部分で無ければ、本発明で言う一対のエレメント列４，４の一部では無い。従って、本実施形態においても、止具５は複数のエレメント４ａが埋設されているが、一対のエレメント列４，４の前方において一対のテープ３，３の前端部に固定されていることになる。
また止具本体５１は、上面と左側面との角部、並びに上面と右側面との角部を何れも面取りしてある。便宜上この説明では、これら面取りされた角部は、いずれも右側面又は左側面の一部とする。角部は、外側に膨らむ円弧状の曲面となっている。この為、止具本体５１の左右方向の幅寸法は、上端が最も幅狭であり、下に向かうにつれて左右の角部に沿って徐々に幅広となっている。また左右の角部よりも下（左右の突起部５３，５３の下方）において止具本体５１の左右方向の幅寸法５１ｗは図７に示すように同一幅を維持するようになっている。
また止具本体５１の後面は、スライダー６の前面に対する接触面であり、平面視して、円弧状の曲面となっている。なお突起５３の詳細については後述する。
【００２８】
スライダー６は図１〜図３に示すように、一対のエレメント列４，４に沿って移動させるスライダー本体７と、スライダー本体７の左右側面に備わる一対の支軸８，８と、一対の支軸８，８を中心にして回転可能な引手９とを備える。
【００２９】
スライダー本体７には図１に示すようにエレメント通路７１が内部に形成されている。より詳しく言えば、スライダー本体７には前後方向に貫通するエレメント通路７１が形成されている。図示しないが、エレメント通路７１の後部は直線状であり、エレメント通路７１の前部は前方へ向かって二又に分岐する状態である。つまりエレメント通路７１はＹ字状になっており、エレメント通路７１の後部には一対のエレメント４ａ，４ａが噛合した状態で通り、エレメント通路７１の前部には一対のエレメント列４，４が左右に分離した状態で通るようになっている。またスライダー本体７の下面にはエレメント通路７１と外部空間を連通するテープ溝（図示せず）が形成されている。一対のテープ屈曲部３２，３２の下部はテープ溝に通されており、それによってスライダー本体７の下方には一対のテープ本体部３１，３１が配置される。またスライダー本体７は、エレメント通路７１の上方を覆う上翼板７２を備えており、この上翼板７２がスライダー本体７の上部を形成している。上翼板７２よりも下側部分つまりスライダー本体７の上下方向中間部及び下部に比べて上翼板７２の前部は、前方に突出しており、止具本体５１の上面に接触するようになっている。
【００３０】
スライダー本体７の左右側面における上下方向中間部には一対の支軸８，８が側方に突出している。一対の支軸８，８は、左右に一直線に配置されている。図３に示すように支軸８は、左右に延長する軸本体部８１と、軸本体部８１の左右方向先端部から軸本体部８１の外周側に突出する鍔部８２とから構成されている。
【００３１】
引手９は、一対の支軸８，８に支持されると共に止具５に対して連結及び連結解除可能な枠体９１と、枠体９１に対して一対の支軸８，８とは反対側に延長する状態に固定された把持部９４とを備えている。
【００３２】
枠体９１は、コ字状であって、平行な左右の縦枠９２，９２と、左右の縦枠９２，９２の一端部同士を接合する横枠９３とを備え、左右の縦枠９２，９２の他端部を一対の支軸８，８に連結する。左右の縦枠９２，９２の間隔９２ｗは、止具本体５１の左右方向の幅寸法５１ｗにほぼ一致させてある。枠体９１は剛体、例えば金属製であり、細長い金属棒をコの字状に折り曲げ、さらに金属棒の両端部をそれぞれＣ字状に折り曲げることによってフックとしてある。そしてこれらの両端部のフックを支軸８の軸本体部８１の外周側に挿通することによって、枠体９１は、一対の支軸８，８に対して支持されると共に一対の支軸８，８を中心にして回転可能になる。また本実施形態の枠体９１の色は、止具５と異なる色であって、例えば金色であるが、止具５と同じ色で形成しても構わない。
【００３３】
把持部９４は、柔軟な帯紐であり、帯紐を横枠９３に固定してある。この把持部９４を指で引っ張ることによって、スライダー６を移動させる。またスライダー６を前進させて止具５に衝突させ、一対のエレメント列４，４を噛合させた状態とし、その上で、この把持部９４と共に枠体９１を押し込むことによって、一対の支軸８，８を中心にして枠体９１を回転させ、枠体９１で止具本体５１の左右側面及び前面の三面をコ字状に包囲するようにする。このように一対のエレメント列４，４が噛合しつつ、枠体９１が前記三面を包囲した状態が止具５と引手９との連結状態である。そしてこの連結状態を保持する為に、この実施形態では、止具本体５１の前記三面のうち２つの選択面である左右側面に左右の突起５３，５３が形成されている。より詳しく言えば、止具本体５１の右側面と左側面には左右の突起５３，５３が平面方向及び前面方向から視て左右対称的に形成され、止具本体５１のうち突起５３よりも下側には枠体９１で包囲する部分が形成されている。図示の例では、左右の突起５３，５３は止具本体５１の右側面と左側面の上部に形成され、止具本体５１の上下方向中間部及び下部には枠体９１で包囲する部分が形成されている。
【００３４】
各突起５３は、図６に示すように、側面視した場合には、止具本体５１の前部に形成されている。視点を変え、止具５を平面視すると、各突起５３は、平面視した場合に前記三面のうち突起５３自らが突出した面で形成される辺の全長の一部に形成されている。言い換えれば、止具本体５１に対する突起５３の形成位置は、図２に示すように、止具本体５１の左右側面で形成される各辺の全長（左辺及び右辺の全長Ｌ１）の一部に、より詳しくは全長Ｌ１の長さ方向の前部であると言える。しかも止具本体５１の左右側面で形成される各辺の全長（左辺及び右辺の全長Ｌ１）の１／４以上で且つ１／２以下に、突起５３の全長を形成してある。
また各突起５３の側面は図７に示すように、下方へ向かうにつれて左右方向の外側に張り出す傾斜面５３ｓとなっている。より詳しく言えば、左側の突起５３の左側面は、その上下端部を除いた範囲において、下に向かうにつれて徐々に左側へ向かう所定の傾斜角度の傾斜面５３ｓであり、右側の突起５３の右側面も、その上下端部を除いた範囲において、下に向かうにつれて徐々に右側へ向かう所定の傾斜角度の傾斜面５３ｓとなっている。ちなみに各突起５３の側面の上端部と各突起５３の上面との角部は、面取りされている。同様に各突起の側面５３の下端部と各突起５３の下面との角部も、面取りされている。これら角部は、外側に膨らむ円弧状の曲面となっている。
止具５は、左右の突起５３，５３の位置における最大幅寸法５３ｗ（以下、「止具の最大幅寸法」と言う。）が、左右の突起５３，５３の下方における止具本体５１の左右方向の幅寸法５１ｗ（以下、「止具本体の幅寸法」と言う。）よりも長く、左右の突起５３，５３に対応する位置（左右の突起５３，５３が接触する部分）における左右の縦枠９２，９２の間隔９２ｗ（以下、「左右の縦枠の間隔」と言う。）よりも長いものとなっている。そして、止具本体５１の幅寸法５１ｗは、左右の縦枠９２，９２の間隔９２ｗと同じ寸法となっている。符号で説明すれば、本実施形態において止具５と枠体９との寸法関係は、５１ｗ＝９２ｗ＜５３ｗの関係となっているが、本発明は、これに限らず、５１ｗ≦９２ｗ＜５３ｗの関係であれば良い。この関係であれば、左右の突起５３，５３の下方に枠体９１の左右の縦枠９３，９３が位置することにより、止具５と枠体９とが連結状態となる。
左右の突起５３，５３は、枠体９１の回転領域外（左右の縦枠９２，９２の回転領域外）である止具本体５１の左右側面から枠体９１の回転領域内（左右の縦枠９２，９２の回転領域内）に達するまで突出している。従って左右の突起５３，５３が変形前の形状に戻っている状態、すなわち復元状態である場合には、回転する枠体９１の通過を不能にし、それによって連結状態の枠体９１の回転を阻止し、左右の突起５３，５３が枠体９１によって押し潰されて変形している状態、すなわち弾性変形状態である場合には、枠体９１の通過を可能とし、それによって枠体９１の回転を許容する。このようにして左右の突起５３，５３は、枠体９１の回転を制限する。
また突起５３の上面は図６に示すように前方へ向かうにつれて上がる傾斜面５３ｕとなっている。より詳しく言えば、突起５３の上面は、その前後端部を除いた範囲において、前方へ向かうにつれて徐々に高くなる所定の傾斜角度の傾斜面５３ｕとなっている。ちなみに各突起５３の上面の前端部と各突起５３の前面との角部は、面取りされている。同様に各突起の上面５３の後端部と各突起５３の後面との角部も、面取りされている。これら角部は、外側に膨らむ円弧状の曲面となっている。
さらに突起５３の上下方向の厚み５３ｔは前方へ向かうにつれて厚くなっている。より詳しく言えば、突起５３の上面は前記した傾斜面５３ｕであるが、突起５３の下面は水平な面となっており、それにより突起５３の上下方向の厚み５３ｔは後方から前方へ向かうにつれて厚くなっている。
【００３５】
前記した第一実施形態のスライドファスナー１は、以下の（１）〜（３）のようにして引手９の枠体９１を止具５に連結する。
（１）まず引手９を引っ張って止具５に対してスライダー本体７の前面を衝突させ、止具５の後面とスライダー本体７の前面を接触させる。このときスライダー本体７の上翼板７２の前部は止具５の上面に接触する為、スライダー本体７の前面のうち上翼板７２よりも下側の部分が、止部５の後面に接触する。
（２）次に一対の支軸８，８を中心にして引手９を前方に回転させ、図６（ａ）、図７（ａ）に示すように左右の突起５３，５３の上に左右の縦枠９２，９２がそれぞれ載るようにする。このとき、枠体５の前方への更なる回転は、左右の突起５３，５３により阻止されている。なお、枠体９１が止具５に連結されていないこと、即ち連結解除状態であることが以下（２．１）〜（２．３）の理由により判断できる。
（２．１）左右の突起５３，５３は左右の縦枠９２，９２の下方に位置しているので、平面視すると、枠体９１の左右の縦枠９２，９２は完全に視認できるが、左右の突起５３，５３は縦枠９２，９２により一部が覆われているため、左右の突起５３，５３の全体形状は視認不能である。
（２．２）左右の縦枠９２，９２と止具５との色が異なるので、縦枠９２と止具５との区別がつき易く、突起５３が視認不能である場合、突起５３は左右の縦枠９２，９２の下方に隠されていると判断できる。
（２．３）左右の突起５３，５３の上面が前方へ向かうにつれて上昇する傾斜面５３ｕとなっており、この傾斜面５３ｕに左右の縦枠９２，９２が沿うように載っていることから、左右の縦枠９２，９２は傾斜し、枠体９１の横枠９３は支点側よりも上方に位置することになり、平面視した際に横枠９３が近く感じられる。
（３）最後に枠体９１の横枠９３を把持部９４と一緒に下方に押し込むと、左右の突起５３，５３が弾性変形によって下方に歪む。このとき突起５３の側面が傾斜面５３ｓとなっていることから、左右の縦枠９２，９２によって左右の突起５３，５３は左右方向の内側（止具本体５１側）へ徐々に押し込まれるように弾性変形することになる。従って突起５３の側面が傾斜面５３ｓの場合は、例えば突起５３の側面が鉛直面の場合よりも、突起５３を変形させ易い。また突起５３を押し込む際にはその押し込み力の一部が止具本体５１にも伝わることから、止具本体５１の側面の穴５１ｈが歪むように変形し、それによって突起５３が変形し易くなる。このように左右の突起５３，５３は変形しながら、左右の突起５３，５３の側面を左右の縦枠９２，９２が擦るようにして通過すると、図６（ｂ）、図７（ｂ）に示すように、左右の突起５３，５３が弾性によって元の形に復元し、左右の縦枠９２，９２が突起５３の下方に移動する。このときコ字状の枠体９１が止具本体５１の左右側面及び前面を包囲する状態になり、引手９と止具５とが連結した状態である。この連結状態では、左右の縦枠９２，９２が止具本体５１の左右側面に接触し、横枠９３を覆う帯紐の把持部９４が止具本体の前面に接触すると共に、左右の突起５３，５３が枠体９１の回転を阻止する。そして枠体９１が止具５に連結されていることが以下（３．１）〜（３．２）の理由により判断できる。
（３．１）図３に示すように、左右の縦枠９２，９２の上方に左右の突起５３，５３が配置されており、縦枠９２の一部が突起５３により覆われていることが視認できる。
（３．２）左右の縦枠９２，９２と止具５との色が異なるので、縦枠９２と止具５との区別がつき易く、突起５３が視認される場合、左右の縦枠９２，９２は突起５３の存在によって恰も上下に分離しているかのように視認される。
なお連結状態を連結解除状態にする場合には、把持部９４を上方に引っ張ることによって枠体９１を若干回転させ、左右の突起５３，５３の下面に左右の縦枠９２，９２をそれぞれ接触させた後、把持部９４をさらに上方引っ張る。そうすると、左右の突起５３，５３は、弾性変形によって上方に歪み、左右の縦枠９２，９２によって左右方向の内側（止具本体５１側）へ徐々に押し込まれるように弾性変形し、それに伴って左右の縦枠９２，９２が左右の突起５３，５３の側面を擦りながら通過し、横枠９３が止具本体５１の上方へ位置するようになる。
【００３６】
本発明の第二実施形態のスライドファスナー１は、図８、図９に示すように、止具本体５１の左右側面及び前面の三面のうち選択面を前面とし、その前面に突起５３を備える止具５を用いること、及び突起５３が枠体９１の横枠９３の回転を阻止すること、並びに枠体９１と把持部９４を一体とする引手９を用いることについて、第一実施形態のスライドファスナー１と相違する。
より詳しく言えば、止具本体５１に対する突起５３の形成位置は、止具本体５１を平面視した場合に、選択面である前面で形成される辺としての前辺の全長Ｌ２の長さ方向における中間部に形成されている。
また第二実施形態のスライドファスナー１は、スライダー本体７の前面が止具本体５１の後面に接触した状態において、スライダー７における支軸８の軸本体部８１の軸中心から止具本体５１の前面までの距離８８Ｌを、枠体９の回転中心（軸本体部８１の軸中心）から横枠９３の後面に達するまでの寸法（以下、「横枠の回転半径」と言う。）９ｒと同じか若干短くしてある。そして、支軸８の軸本体部８１の軸中心から突起５３の前面までの距離８９Ｌを、横枠９３の回転半径９ｒよりも長くしてある。従って突起５３の下方に枠体９１の横枠９３が位置することにより、止具５と枠体９とが連結状態となる。
また引手９は、枠体９１の横枠９３を一対の支軸８，８を中心とする半径方向の外側に延長する幅広形状とし、この横枠９３の半径方向の外側部分を把持部９４とするものである。従って、この場合、引手９は、枠体９１と把持部９４との一体物の剛体である。
この第二実施形態のスライドファスナー１は、枠体９１と止具５とが連結すると、枠体９１の横枠９３の左右方向中間部の上に突起５３が配置されることになり、突起５３の存在を視認することができる。また、横枠９３の一部が突起５３により覆われるため、引手９と止具５との連結を視認することができる。
【００３７】
本発明の第三実施形態のスライドファスナー１は、図１０に示すように、前後方向に関して左右の突起５３，５３を止具本体５１の左右側面の後部に形成したこと、突起５３を下面だけでなく上面も水平面としたこと、上下方向に関して左右の突起５３，５３の位置を止具本体５１の上下方向中間部としたことについて、第一実施形態のスライドファスナー１と相違する。
【００３８】
本発明の第四実施形態のスライドファスナー１は、図１１に示すように、止具本体５１の右側面に突起５３を複数備え、止具５と枠体９１との連結状態を複数備えることについて、第一実施形態のスライドファスナー１と相違する。
より詳しく言えばこの実施形態では、支軸８を中心にして回転する縦枠９２の回転方向に間隔をあけて２つの突起５３を止具本体５１の右側面に形成してある。またこの回転方向に対する間隔は、水平状態の縦枠９２の上下寸法以上としてある。因みに図示の例では２つの突起５３，５３は、前後方向に離隔すると共に上下方向に離隔する状態で止具本体５１の右側面に配置されている。下側に位置する第２の突起５３の上面、及び上側に位置する第１の突起５３の下面は、平行であり、前方へ向かうにつれて徐々に上がる傾斜が付いた傾斜面である。
この第四実施形態のスライドファスナー１は、止具５と引手９を連結する場合は、２つの連結状態がある。第１の連結状態は、上側の突起５３と第２の突起５３の間に縦枠９２が挟まれるように位置する状態であり、縦枠９２が横枠９３側へ向かうにつれて上がる傾斜状態となっている。そうすると、横枠９３と張出片５２との上下間隔が次に説明する第２の連結状態の場合よりも広くなり、横枠９３と張出片５２の間に指を挿入し易くなり、枠体９１を第１の突起５３から外し易くなる。
第２の連結状態は、第２の突起５３の下方に縦枠９２が位置する状態であり、止具５と枠体９１との連結を解除するには、枠体９１を第２の突起５３、第１の突起５３の順に外さなければならない。従って第２の連結状態は、連結状態がより強固であると言える。
【００３９】
本発明は上記実施形態に限定されるものではなく、その趣旨を逸脱しない範囲において適宜変更可能である。たとえば、本発明のスライドファスナー１を取り付ける対象は限定されないが、例えば流体輸送用の可撓性容器が挙げられる。流体が充填された可撓性容器に外力が加わると、スライドファスナー１が開こうとして、スライダー６には止具５から離れる方向の力が加わるが、本発明のような枠体９１と止具５との連結状態が確保できるものであれば、スライドファスナー１が開くことを防止できる。
【００４０】
また本発明の各実施形態では、突起５３を止具本体５１の左右側面、又は前面に備えるものとしているが、これに限らず、突起５３を止具本体５１の左右側面と前面にそれぞれ備えるものとしても良い。また本発明の各実施形態では、止具本体５１に対する突起５３の形成位置は、平面視した場合に選択面で形成される辺の全長の中間部としているが、これに限らず、辺の全長の端部であっても良い。
【００４１】
さらに第一実施形態のスライドファスナー１で用いた一対のファスナーストリンガー２，２は、一対のテープ３，３がＬ字状に屈曲するものであったが、これに限らず一対のテープ３，３が水平なものであっても良い。この場合、エレメント列４は、一対のテープ３，３の対向する水平な側縁部に沿って固定される。
【００４２】
また本発明の各実施形態では枠体９１と一対の支軸８，８を別々の部品とし、別部品としての一対の支軸８，８をスライダー本体７の左右側面から突出するものとしているが、これに限らず、枠体９１と一対の支軸８，８とを一体とし、この一対の支軸８，８をスライダー本体７の左右側面に形成した軸受穴（図示せず）に挿通するものであっても良い。
【００４３】
さらに第一実施形態のスライドファスナー１で用いたスライダー６は、止具本体５１の左右側面に穴５１ｈを形成してあり、この穴５１ｈが止具本体５１を変形させ易くしていたが、これに限らず、止具本体５１を変形させ易くする為に、前面に穴５１ｈを形成しても良い。また穴５１ｈは、図６の例では円形状に形成してあったが、これに限らず、前後方向や上下方向等の所定の方向に長い長穴や他の形状であっても良い。
【符号の説明】
【００４４】
１  スライドファスナー
２  ファスナーストリンガー
３  テープ
３１テープ本体部
３２テープ屈曲部
３２ａ湾曲部
４  エレメント列
４ａエレメント
４１噛合部材
４１ａ膨大部
４１ｂ首部
４１ｃ頭部
４２固定部材
４２ａ枠部
４２ｂ爪部
５  止具
５１止具本体
Ｌ１  左辺及び右辺の全長
Ｌ２  前辺の全長
５１ｈ穴
５１ｗ幅寸法
５２張出片
５３突起
５３ｓ傾斜面
５３ｔ厚み
５３ｕ傾斜面
５３ｗ最大幅寸法
６  スライダー
７  スライダー本体
７１エレメント通路
７２上翼板
８  支軸
８１軸本体部
８２鍔部
８８Ｌ軸本体部の軸中心から止具本体の前面までの距離
８９Ｌ軸本体部の軸中心から突起の前面までの距離
９  引手
９ｒ横枠の回転半径
９１  枠体
９２  縦枠
９２ｗ間隔
９３  横枠
９４  把持部
【図１】
2015063927.tif 000003
【図２】
2015063927.tif 000004
【図３】
2015063927.tif 000005
【図４】
2015063927.tif 000006
【図５】
2015063927.tif 000007
【図６】
2015063927.tif 000008
【図７】
2015063927.tif 000009
【図８】
2015063927.tif 000010
【図９】
2015063927.tif 000011
【図１０】
2015063927.tif 000012
【図１１】
2015063927.tif 000013
【手続補正書】
【提出日】平成28年10月17日(2016.10.17)
【手続補正１】
【補正対象書類名】特許請求の範囲
【補正対象項目名】全文
【補正方法】変更
【補正の内容】
【特許請求の範囲】
【請求項１】
前後に延長すると共に左右に平行に並べる一対のテープ（３，３）、前記一対のテープ（３，３）の対向する側縁部に沿って固定された一対のエレメント列（４，４）、前記一対のエレメント列（４，４）の前方において前記一対のテープ（３，３）の前端部に固定された止具（５）、を含む一対のファスナーストリンガー（２，２）と、
前記一対のエレメント列（４，４）に沿って移動させると共に前方への移動範囲が前記止具（５）によって定められるスライダー本体（７）、前記スライダー本体（７）の左右側面から突出する一対の支軸（８，８）、前記一対の支軸（８，８）を中心にして回転可能な引手（９）、を含むスライダー（６）とを備え、
前記引手（９）は、前記一対の支軸（８，８）に支持されると共に前記止具（５）に対して連結及び連結解除可能なコ字状の枠体（９１）を備え、
前記止具（５）は、直方体状であって、その左右側面及び前面の三面を連結状態の前記枠体（９１）が包囲する止具本体（５１）と、前記止具本体（５１）の前記三面のうち少なくとも１面から突出すると共に前記枠体（９１）の回転を制限する弾性体の突起（５３）と、を備え、
前記突起（５３）は、弾性変形状態では前記枠体（９１）の回転を許容すると共に、復元状態では連結状態の前記枠体（９１）の回転を阻止するものであり、
前記止具本体（５１）に対する前記突起（５３）の形成位置は、平面視した場合に前記三面のうち前記突起（５３）自らが突出した面において、当該面で形成される辺の全長の一部のみであることを特徴とするスライドファスナー。
【請求項２】
前記突起（５３）は前記止具本体（５１）の左側面と右側面とに別々に備わっていることを特徴とする請求項１に記載のスライドファスナー。
【請求項３】
前記左右の突起（５３，５３）の下方における前記止具本体（５１）の幅寸法（５１ｗ）≦前記左右の突起（５３，５３）に対応する位置における前記枠体（９１）の左右の縦枠（９２，９２）の間隔（９２ｗ）＜前記左右の突起（５３，５３）の位置における前記止具（５）の最大幅寸法（５３ｗ）であることを特徴とする請求項２に記載のスライドファスナー。
【請求項４】
前記左右の突起（５３，５３）の側面は下方へ向かうにつれて左右方向外側に張り出す傾斜面（５３ｓ）としてあることを特徴とする請求項２又は３に記載のスライドファスナー。
【請求項５】
前記左右の突起（５３，５３）の上面は前方へ向かうにつれて上がる傾斜面（５３ｕ）となっていると共に、前記左右の突起（５３，５３）の上下方向の厚み（５３ｔ）は前方へ向かうにつれて厚くなっていることを特徴とする請求項２、３又は４に記載のスライドファスナー。
【請求項６】
前記左右の突起（５３，５３）は平面方向及び前面方向から視て左右対称的に形成されていることを特徴とする請求項２から５のいずれか１項に記載のスライドファスナー。
【請求項７】
前記止具（５）と前記枠体（９１）は異なる色であることを特徴とする請求項１から６の何れか１項に記載のスライドファスナー。
【手続補正２】
【補正対象書類名】明細書
【補正対象項目名】０００８
【補正方法】変更
【補正の内容】
【０００８】
本発明のスライドファスナーは、一対のファスナーストリンガーと、スライダーとを備える。そして一対のファスナーストリンガーは、前後に延長すると共に左右に平行に並べる一対のテープ、一対のテープの対向する側縁部に沿って固定された一対のエレメント列、一対のエレメント列の前方において一対のテープの前端部に固定された止具を含む。またスライダーは、一対のエレメント列に沿って移動させると共に前方への移動範囲が止具によって定められるスライダー本体、スライダー本体の左右側面から突出する一対の支軸、一対の支軸を中心にして回転可能な引手を含む。そして引手は、一対の支軸に支持されると共に止具に連結するコ字状の枠体を備える。また止具は、直方体状であって、その左右側面及び前面の三面を連結状態の枠体が包囲する止具本体と、止具本体の前記三面のうち少なくとも１面から突出すると共に枠体の回転を制限する弾性体の突起と、を備える。突起は、弾性変形状態では枠体の回転を許容すると共に、復元状態では連結状態の前記枠体の回転を阻止するものである。そのうえで止具本体に対する突起の形成位置は、平面視した場合に前記三面のうち突起自らが突出した面において、当該面で形成される辺の全長の一部のみとする。
【手続補正３】
【補正対象書類名】明細書
【補正対象項目名】００１３
【補正方法】変更
【補正の内容】
【００１３】
さらに左右の突起は、平面方向及び前面方向から視て左右対称的であるか否かは問わない。但し止具に枠体を連結させ易くするには次のようにすることが望ましい。
すなわち左右の突起は平面方向及び前面方向から視て左右対称的に形成されていることである。
なお枠体と止具とが連結していることを視認し易くするには次のようにすることが望ましい。
すなわち止具と枠体を異なる色にすることである。
【手続補正４】
【補正対象書類名】明細書
【補正対象項目名】００１８
【補正方法】変更
【補正の内容】
【００１８】
また左右の突起を平面方向及び前面方向から視て左右対称的に形成したスライドファスナーであれば、枠体の左右の縦枠で左右の突起を同じように押し込んで変形させることができるので、止具に枠体を連結させ易い。
また止具と枠体を異なる色にしたスライドファスナーであれば、枠体と止具との区別がつき易く、突起が視認できるか否かで、連結状態であるか否かを容易に判別できる。
【国際調査報告】
2015063927.tif 000014
2015063927.tif 000015
2015063927.tif 000016
2015063927.tif 000017